(57)【要約】【課題】  花差し内の水の量に応じて自動的に給水できることは勿論の外、簡単に持ち運ぶことができ、周囲いずれかの方向から風が吹いても、生花が倒れたり折れたりするのを確実に防止すること。【解決手段】  本体１０の背面側に取手部１３が設けられている。取手部１３は、本体の背面側において、その背壁の一部を前方に凹ませて形成されており、具体的には背壁を前方に向かい略水平に凹ませて持ち上げ壁１３ａが設けられ、その持ち上げ壁１３ａの奥部から次第に後方に向かうよう斜めに傾斜して設けられた斜め壁１３ｂが設けられ、これら持ち上げ壁１３ａに使用者の指を引き掛けることで本体１０を持ち運びできるようになっている。【選択図】図６
0003125286.tif 000002
【実用新案登録請求の範囲】
【請求項１】
内部に水を蓄える内部空間を有する本体と、該本体の下部に下方に延在して設けられ、下端に前記本体の内部空間と連絡する給水口を有する給水部と、該給水部の高さ方向の途中位置に設けられ、花差し内に着脱可能に装着される着脱部と、前記タンク部の背面に設けられた取手部とを備えることを特徴とする生花用給水器。
【請求項２】
前記本体の周囲にその本体と交差方向にそれぞれ延在して設けられた張り出し壁を有することを特徴とする請求項１記載の生花用給水器。
【請求項３】
前記取手部は、タンク部の背面において、前方側に向かい凹んで形成されていることを特徴とする請求項１または２記載の生花用給水器。
【請求項４】
前記着脱部は、外周に軸方向に沿うスリットが設けられていることを特徴とする請求項１〜３のいずれか一項記載の生花用給水器。
【考案の詳細な説明】
【技術分野】
【０００１】
本考案は、生花用給水器に係り、特に、花差し内の水が減ったときに自動的に給水して生花の寿命を延ばすのに好適な生花用給水器に関するものである。
【背景技術】
【０００２】
一般に、生花を花差しに挿している場合、生花がすぐに枯れないようにするため、花差しに水が入れられているが、花差し内の水は花差し容器の大きさに応じた容量しか入れることができないものである。そのため、花差し内の水がなくなった場合、その都度水を補給する必要があるが、その作業を人が実施するのに面倒なことから、花差しに自動的に水を給水できるようにしたものが提案されている（例えば、特許文献１参照。）。
【０００３】
特許文献１に記載されたもの（以下、従来技術という）は、献花用給水器であって、密閉された内部空間を有する液体用貯蔵容器と、この液体用貯蔵容器の内部空間と一端側で連通した中空の柱形状を有する筒状部材と、この筒状部材に形成され、その中空部分を外部と連通させる給水穴とを具備し、これにより、花差し内の水が徐々に減ったとき、その花差し内の水の量に応じて自動的に水を供給し、献花の寿命を長くできるようにしたものである。
【特許文献１】特開平９−４７１６８号公報
【考案の開示】
【考案が解決しようとする課題】
【０００４】
ところで、上記従来技術においては、花差し内の水が減ると、液体用貯蔵容器からそれに応じて水を供給でき、その分だけ生花の寿命を延ばすことができるので、便利である。
しかしながら、従来技術においては、この給水器を人手で運ぶ場合について配慮されておらず、そのため、給水器をパーツ毎に分離したり、若しくは、給水器を両手で抱えながら花差しごと一体のままで運ばざるを得ず、持ち運ぶのに不便な問題があった。
【０００５】
また、液体用貯蔵容器はいわゆる単なるタンク機能をなしているが、風が吹いた場合、生花が靡いて倒れたり折れたりするという問題がある。この給水器の背面側には液体用貯蔵容器が存在しているので、正面側から風が吹いた場合、生花が倒れようとするのを防ぐことができるものの、風がそれ以外の場所から吹いた場合、その液体用貯蔵容器では生花が倒れるのを防ぐことができなかった。したがって、周囲四方の何れから風が吹いても、生花の倒れなどを防ぐことができないという問題があった。これは、液体用貯蔵容器が単なるタンク機能をもっているだけに過ぎないことに起因する。
【０００６】
本考案の目的は、上記従来技術の問題点に鑑みでなされたものであって、花差し内の水の量に応じて自動的に給水できることは勿論の外、簡単に持ち運ぶことができ、また周囲いずれかの方向から風が吹いても、生花が倒れたり折れたりするのを確実に防止することができる生花用給水器を提供することにある。
【課題を解決するための手段】
【０００７】
上記課題を解決するために本考案においては、以下の手段を採用した。
即ち、請求項１記載の生花用給水器は、内部に水を蓄える内部空間を有する本体と、該本体の下部に下方に延在して設けられ、下端に前記本体の内部空間と連絡する給水口を有する給水部と、該給水部の高さ方向の途中位置に設けられ、花差し内に着脱可能に装着される着脱部と、前記タンク部の背面に設けられた取手部とを備えることを特徴とする。
請求項２記載の生花用給水器は、前記本体の周囲にその本体と交差方向にそれぞれ延在して設けられた張り出し壁を有することを特徴とする。
請求項３記載の生花用給水器は、前記取手部は、タンク部の背面において、前方側に向かい凹んで形成されていることを特徴とする。
請求項４記載の生花用給水器は、前記着脱部は、外周に軸方向に沿うスリットが設けられていることを特徴とする。
【考案の効果】
【０００８】
本考案によれば、花差し内の水の量に応じて自動的に給水できることは勿論の外、簡単に持ち運ぶことができ、また周囲いずれかの方向から風が吹いても、生花が倒れたり折れたりするのを確実に防止することができるので、使い勝手をより高めることができるとともに、品質及び信頼性を高めることができる効果が得られる。
【考案を実施するための最良の形態】
【０００９】
以下、本考案の実施の形態を、図面に基づいて説明する。図１は本考案の第１の実施形態による生花用給水器の各部品を示す鳥瞰図、図２は同じく生花用給水器を正面側から見た分解斜視図、図３は側面側から見た一部断面の分解斜視図、図４は同じく生花用給水器の組立て使用状態を示す正面図、図５は図４の左側面図、図６は本体における取手部を示す拡大説明図である。
【００１０】
図１〜図３に示す生花用給水器１は、大別すると、水を蓄えるタンク機能を果たす本体１０と、本体１０の下部に取り付けられ、図４及び図５に示す花差し２に着脱可能に装着される着脱部２０とを備えて構成されている。
本体１０は、合成樹脂製のものであって、内部に適宜の量の水を蓄えることができる内部空間（図３における符号Ａの部分）を有しており、真上から見ると（図示せず）、緩やかな円弧状であって、正面から見ると、図４に示すように若干縦長の長四角形状をなしており、全体的には概略的に手のひら形状をなしている。
【００１１】
この本体１０の下部には、下方に延びる給水部１１が設けられている。該給水部１１は、側面から見ると、図４に示すように、本体１０の下部からやや斜め下方に傾斜しつつ前方に張り出す傾斜部１１ａが設けられ、その傾斜部１１ａの先端にさらに真下に向かう垂下部１１ｂが設けられることで形成されている。この給水部１１は、全体的には概ね四角の筒状をなしており、その一端が本体１０の中央の下部に一体的に連結され、他端が下方に向けて開口され、その開口部分が本体１０の内部空間と連絡して、いわゆる給水口１２を構成している。したがって、給水部１１は、下端に本体１０の内部空間と連絡する給水口１２を有している。
また、本体１０の上部の背面側にはゴム製のキャップ１５が設けられている。キャップ１５は、図６に示すように、本体１０の背面上部に内部空間Ａと連絡するように設けられた孔（図示せず）を閉塞するものである。
【００１２】
一方、着脱部２０は、給水部１１の長さ（高さ）方向の途中位置に取り付けられるものであり、花差し２に着脱可能に装着される。着脱部２０は、図５に示すように、概略的には鉢形状をなす花差し２に対応するよう、軸方向に適度の長さを有する逆截頭円錐状であって、しかも適宜の厚みをもつ筒状をなしている。この着脱部２０の外周部には、軸方向に沿うスリット２１が設けられ、花差し２に装着する場合、上記スリット２１により、縮径することで挿入された後、その状態で開放されると、自身の弾性復元力で拡径することにより、図４及び図５に示すように花差し２内の上部に装着される。したがって、着脱部２０は、弾性復元力を有する合成樹脂によって形成されている。
【００１３】
着脱部２０には、図１に示すように、本体１０の給水部１１を嵌挿する差し込み部２２が設けられている。そして、差し込み部２２に対し上方から給水部１１を差し込んで給水部１１を差し込み部２２から通過させ、その状態で接着剤などによって給水部１１と差し込み部２２との両者が固着されることで、給水部１１の長さ方向の途中位置に着脱部２０が取り付けられる。
【００１４】
そして、この実施形態においては、本体１０の背面に取手部１３が設けられている。取手部１３は、本体の背面において、その背壁の一部を前方に凹ませて形成されており、具体的には、図６に示すように、背壁を前方に向かい略水平に凹ませて持ち上げ壁１３ａが設けられ、その持ち上げ壁１３ａの奥部から次第に後方に向かうよう斜めに傾斜して設けられた斜め壁１３ｂが設けられ、これら持ち上げ壁１３ａに使用者の指を引き掛けることで本体１０を持ち運びできるようになっている。そのため、取手部１３の持ち上げ壁１３ａは、使用者の指が引き掛かる程度の奥行き寸法で凹んで形成されている。このような持ち上げ壁１３ａと斜め壁１３ｂとによって画成される取手部１３は、図１，図２及び図５ではハッチングを施して表示している。
【００１５】
また、本体１０の周囲に張り出し壁１４が設けられている。張り出し壁１４は、本体１０の両側に側方に延在して形成されるとともに、本体１０の上部にも一体的に形成され、例えば図２〜図５に示すように、本体１０と交差してあって前方に延びて形成されている。したがって、本体１０は、真上から見ると、略コ字状、若しくはＣ字状の形態をなしている。
このような張り出し壁１４は、本実施形態では、合成樹脂成形により、本体１０の両側に単に一体に突設されただけとなっているが、本体１０の内部空間と連絡するような内部空間を有するように一体に形成してもよいのは言うまでもない。
【００１６】
したがって、花差し２に図示しない生花を差し込む場合には、生花の茎部分の先端を着脱部２０に通して花差し２に差し込み、生花の花や葉の部分が本体１０及び張り出し壁１４間に位置するようにすることで、使用されることとなる。
このような生花用給水器１は、図４に示すように、花差し２が平らな箇所に設置された場合、本体１０の側面から見ると、花差し２の中心線（垂線）Ｘに対し、本体１０の中心線Ｙがある程度傾いており、また本体１０の正面から見ると、その中心線Ｙが花差し２の中心線Ｘと一致する形状となっている。
【００１７】
この実施形態の生花用給水器１は、上記のように構成されているので、次にその取り扱いについて以下に説明する。
まず、生花用給水器１においては、図４及び図５に示すように、本体１０の給水部１１に着脱部２０が組み付けられることで生花用給水器１が形成され、この生花用給水器１の本体１０内には水が蓄えられてキャップ１５により内部空間が密閉状態に確保されるとともに、花差し２にも適宜の水が入れられ、さらに花差し２内の上部に着脱部２０が挿入して装着されるとともに、給水部１１の給水口１２が花差し２内の水の中に位置する高さとなっている。また、図示していないが、花差し２内には、所望の生花が差し込まれた状態とする。
【００１８】
かかる状態にあるとき、花差し２内の水の高さに比較し、給水口１２の位置が低くなっており、本体１０の内部空間が密閉状態に保たれているので、本体１０内に蓄えられた水が花差し２側へ流れ出ることはない。
つまり、本体１０が花差し２より上方に水を蓄えるタンク構造であると、本体１０内と花差し２内との水位が同じになろうとして、本体１０内の水が花差し２側に流れ込もうとするが、上述したように、本体１０内が密閉状態となっているため、給水口１２から空気が入らない限り、本体１０から花差し２へ水が流出することはない。
【００１９】
そして、花差し２内の水が生花の給水力や蒸発などによって次第に減少し、花差し２内の水面が給水口１２の位置より下がり、給水口１２が大気に触れると、本体１０内の水圧と大気圧との均衡が破れ、空気が給水口１２から本体１０内に気泡として入り込む一方、その入り込んだ気泡の体積分だけ本体１０内の水が流出することなる。これにより、花差し２に本体１０からの水が供給されるので、花差し２に自動的に水が給水されることとなる。
【００２０】
この場合、花差し２に対する水の給水は、給水口１２が花差し２内の水面より低くなり、本体１０内の水圧と大気圧とが均衡した時点で停止する。したがって、この給水作用と停止作用とが、本体１０内の水が無くなるまで繰り返されるので、生花に対する自動給水を良好に行うことができる。
【００２１】
そして、本実施形態においては、本体１０に取手部１３が設けられており、この取手部１３により持ち上げて花差し２共々一体的に持ち運ぶことができるので、水の補給の際に移動したり、設置場所を移動することが容易にできる。
しかも、取手部１３は、本体１１の背面の一部を凹ませて形成されているので、本体１０に簡単に形成することができる。しかも、本体１０から外方に突出することもないので、周囲の物と干渉するというような邪魔になるおそれもない。
【００２２】
また、本体１０の正面側や背面側から風が吹いた場合、本体１０によって花差し２内の生花が倒れることを防ぐことができるものの、本体１０と交差する方向から風が吹くと、花差し２内の花がそれによって倒れたり折れたりするおそれがある。
しかしながら、本実施形態では、本体１０の周囲に本体１０交差方向に張り出し壁１４が設けられているので、風が周囲のいずれかから吹いても、花が倒れるのを防ぐことができる。したがって、花を周囲四方の風などから擁護することもでき、生花の外観を損なうというおそれもない。
【００２３】
また、着脱部２０には、軸方向に沿うスリット２１が設けられ、弾性復元力によって拡径する形状をなしているので、径の小さな花差し２に対して確実に装着することができ、生花用給水器１の取り付けを簡単かつ良好に行うことができる。しかも、着脱部２０は、給水部１１の高さ方向の途中位置に取り付けられてあって、高さ（軸）方向に適宜の長さをもっているので、花差し２に装着されると、上記拡径する機能と相俟ち適切な装着力を得ることができ、花差し２から不用意に抜けるおそれもない。
【００２４】
なお、上記実施形態において、取手部１３が本体１０に凹ませて形成された例を示したが、これに限定されるものではなく、突出した形状であってもよい。したがって、本体、及びこれに設けられた取手部並びに張り出し壁等の具体的形状は図示例に限定されるものではなく、要は、所期の機能を有すればよい。
【図面の簡単な説明】
【００２５】
【図１】本考案の第１の実施形態による生花用給水器の各部品を示す鳥瞰図である。
【図２】同じく生花用給水器を正面側から見た分解斜視図である。
【図３】同じく生花用給水器を側面側から見た一部断面の分解斜視図である。
【図４】本考案の第１の実施形態による生花用給水器の組立て使用した状態を示す正面図である。
【図５】図４の左側面図である。
【図６】本体における取手部を示す拡大説明図である。
【符号の説明】
【００２６】
１  生花用給水器
２  花差し
１０  本体
１１  給水部
１２  給水口
１３  取手部
１４  張り出し壁
２０  着脱部
２１  スリット
Ａ  内部空間
【図１】
0003125286.tif 000003
【図２】
0003125286.tif 000004
【図３】
0003125286.tif 000005
【図４】
0003125286.tif 000006
【図５】
0003125286.tif 000007
【図６】
0003125286.tif 000008